(57)【特許請求の範囲】
【請求項１】
複数の測位衛星から送られてくる測位情報を受信する受信部と、この受信部により受信された複数の測位情報に基づき自己位置を計測する計測部とを備えた測位装置において、
時刻をカウントするとともに、前記受信部の受信動作終了時の前記測位情報の受信タイミングとの同期を確保するタイミング保持カウンターと、
前記計測部により前回自己位置が計測された時点から予め定められている時間内における、前記受信部の受信動作開始時の前記測位情報の受信タイミングを、前記タイミング保持カウンターのタイミングに同期させる制御手段と、
前記計測手段による計測動作に伴い前記受信部が前記測位情報の受信を試行するとき、前記測位情報の受信タイミングを補正する補正手段と、
この補正手段により補正される各試行時の受信タイミングの補正量を前回の計測動作終了時からの経過時間の長さに応じて設定する設定手段と、
前記受信部の動作の有無に関係なく連続して動作する一方、前記受信部の前記受信タイミングを生成する受信用カウンターとを備えており、
前記制御手段は、前記受信部の動作終了時には前記タイミング保持カウンターを前記受信用カウンターと同期させ、かつ前記受信部の動作開始時には前記受信用カウンターを前記タイミング保持カウンターと同期させることを特徴とする測位装置。
【請求項２】
複数の測位衛星から送られてくる測位情報を受信する受信部と、この受信部により受信された複数の測位情報に基づき自己位置を計測する計測部とを備えた測位装置において、
時刻をカウントするとともに、前記受信部の受信動作終了時の前記測位情報の受信タイミングとの同期を確保するタイミング保持カウンターと、
前記計測部により前回自己位置が計測された時点から予め定められている時間内における、前記受信部の受信動作開始時の前記測位情報の受信タイミングを、前記タイミング保持カウンターのタイミングに同期させる制御手段と、
前記計測手段による計測動作に伴い前記受信部が前記測位情報の受信を試行するとき、前記測位情報の受信タイミングを補正する補正手段と、
この補正手段により補正される受信タイミングの補正幅を前回の計測動作終了時からの経過時間の長さに応じて設定する設定手段と、
前記受信部の動作の有無に関係なく連続して動作する一方、前記受信部の前記受信タイミングを生成する受信用カウンターとを備えており、
前記制御手段は、前記受信部の動作終了時には前記タイミング保持カウンターを前記受信用カウンターと同期させ、かつ前記受信部の動作開始時には前記受信用カウンターを前記タイミング保持カウンターと同期させることを特徴とする測位装置。
【請求項３】
複数の測位衛星から送られてくる測位情報を受信する受信部と、この受信部により受信された複数の測位情報に基づき自己位置を計測する計測部とを備えた測位装置において、
時刻をカウントするとともに、前記受信部の受信動作終了時の前記測位情報の受信タイミングとの同期を確保するタイミング保持カウンターと、
前記計測部により前回自己位置が計測された時点から予め定められている時間内における、前記受信部の受信動作開始時の前記測位情報の受信タイミングを、前記タイミング保持カウンターのタイミングに同期させる制御手段と、
前記計測手段による計測動作に伴い前記受信部が前記測位情報の受信を試行するとき、その試行回数を、前回の計測動作終了時からの経過時間の長さに応じて制御する試行回数制御手段と、
前記受信部の動作の有無に関係なく連続して動作する一方、前記受信部の前記受信タイミングを生成する受信用カウンターとを備えており、
前記制御手段は、前記受信部の動作終了時には前記タイミング保持カウンターを前記受信用カウンターと同期させ、かつ前記受信部の動作開始時には前記受信用カウンターを前記タイミング保持カウンターと同期させることを特徴とする測位装置。
【発明の詳細な説明】
【技術分野】
【０００１】
本発明は、ＧＰＳ衛星等の測位衛星から送信される電波を受信し自己位置を検出する測位装置に関する。
【背景技術】
【０００２】
従来、ＧＰＳによる位置計測に用いる測位装置では、複数のＧＰＳ衛星から送られるエフェメリス、アルマナック等の航法信号すなわち測位情報を受信することにより、自己位置が計測可能となる。なお、エフェメリスは送信元の衛星自身の軌道情報や時計の補正情報などのデータであり、アルマナックは全ての衛星の概略軌道に関するデータである。ここで、各測位衛星からの送信データを受信するためには、受信時に、各衛星からのデータの送信タイミングに受信タイミングを同期させる、つまり衛星を捕捉する必要があるが、前記送信タイミングは、ＧＰＳ衛星や測位装置が常に移動していることから常に変化している。これに対し、例えばＧＰＳを用いたカーナビゲーション装置では毎秒位置を更新しているため、前記タイミングの変化にある程度までは追随して同期できるようになっている。つまり車速のＭＡＸと考えられる数１００Ｋｍ／ｈ程度の速度での移動までは、一旦送信タイミングに同期することにより、次回はお互いの移動による最大のズレ分を補正することによって常に同期がとれるようになっている。言い換えると、一旦位置計測を開始したら継続して計測動作を行うようになっている。
【発明の開示】
【発明が解決しようとする課題】
【０００３】
しかしながら、カーナビゲーション装置のように、毎秒位置を更新している、つまり毎秒衛星を捕捉することができる測位装置と異なり、携帯性を持たせた例えば腕時計型の測位装置を考えると、使用時には地形、障害物等の影響を受けやすく、測位情報を受信することができない状況下にある場合が多い。したがって、そのような測位装置では、位置計測を行う毎に航法信号の送信タイミングに受信タイミングを同期させ航法信号を受信する（衛星を捕捉する）必要が生じ、位置計測に時間がかかるという問題がある。また、位置計測には、比較的大きな電力を要するため、電源となる電池の寿命が短くなる原因ともなる。
【０００４】
本発明は、かかる従来の課題に鑑みてなされたものであり、測位情報を継続して受信することができない状況下でも、短時間での位置計測が可能となる測位装置を提供することを目的とする。
【課題を解決するための手段】
【０００５】
前記課題を解決するために、この発明にあっては、以下の構成を備えている。 
【００１１】
請求項１の測位装置にあっては、
複数の測位衛星から送られてくる測位情報を受信する受信部と、この受信部により受信された複数の測位情報に基づき自己位置を計測する計測部とを備えた測位装置において、
時刻をカウントするとともに、前記受信部の受信動作終了時の前記測位情報の受信タイミングとの同期を確保するタイミング保持カウンターと、
前記計測部により前回自己位置が計測された時点から予め定められている時間内における、前記受信部の受信動作開始時の前記測位情報の受信タイミングを、前記タイミング保持カウンターのタイミングに同期させる制御手段と、
前記計測手段による計測動作に伴い前記受信部が前記測位情報の受信を試行するとき、前記測位情報の受信タイミングを補正する補正手段と、
この補正手段により補正される各試行時の受信タイミングの補正量を前回の計測動作終了時からの経過時間の長さに応じて設定する設定手段と、
前記受信部の動作の有無に関係なく連続して動作する一方、前記受信部の前記受信タイミングを生成する受信用カウンターとを備えており、
前記制御手段は、前記受信部の動作終了時には前記タイミング保持カウンターを前記受信用カウンターと同期させ、かつ前記受信部の動作開始時には前記受信用カウンターを前記タイミング保持カウンターと同期させることを特徴とする。
請求項１記載の発明によれば、前記計測部による計測動作に伴い前記受信部が前記測位情報の受信を試行するとき、前記測位情報の受信タイミングを補正し、この補正される各試行時の受信タイミングの補正量を前回の計測動作終了時からの経過時間の長さに応じて設定しているので、再計測時には、その時々の受信状態により適した測位情報の効率的な受信試行が行える。
【００１２】
また、請求項２の測位装置にあっては、
複数の測位衛星から送られてくる測位情報を受信する受信部と、この受信部により受信された複数の測位情報に基づき自己位置を計測する計測部とを備えた測位装置において、
時刻をカウントするとともに、前記受信部の受信動作終了時の前記測位情報の受信タイミングとの同期を確保するタイミング保持カウンターと、
前記計測部により前回自己位置が計測された時点から予め定められている時間内における、前記受信部の受信動作開始時の前記測位情報の受信タイミングを、前記タイミング保持カウンターのタイミングに同期させる制御手段と、
前記計測手段による計測動作に伴い前記受信部が前記測位情報の受信を試行するとき、前記測位情報の受信タイミングを補正する補正手段と、
この補正手段により補正される受信タイミングの補正幅を前回の計測動作終了時からの経過時間の長さに応じて設定する設定手段と、
前記受信部の動作の有無に関係なく連続して動作する一方、前記受信部の前記受信タイミングを生成する受信用カウンターとを備えており、
前記制御手段は、前記受信部の動作終了時には前記タイミング保持カウンターを前記受信用カウンターと同期させ、かつ前記受信部の動作開始時には前記受信用カウンターを前記タイミング保持カウンターと同期させることを特徴とする。
請求項２記載の発明によれば、前記計測部による計測動作に伴い前記受信部が前記測位情報の受信を試行するとき、前記測位情報の受信タイミングを補正し、この補正される受信タイミングの補正幅を前回の計測動作終了時からの経過時間の長さに応じて設定するようにしているので、再計測時には、その時々の受信状態により適した測位情報の効率的な受信試行が行える。
【００１３】
また、請求項３の測位装置にあっては、
複数の測位衛星から送られてくる測位情報を受信する受信部と、この受信部により受信された複数の測位情報に基づき自己位置を計測する計測部とを備えた測位装置において、
時刻をカウントするとともに、前記受信部の受信動作終了時の前記測位情報の受信タイミングとの同期を確保するタイミング保持カウンターと、
前記計測部により前回自己位置が計測された時点から予め定められている時間内における、前記受信部の受信動作開始時の前記測位情報の受信タイミングを、前記タイミング保持カウンターのタイミングに同期させる制御手段と、
前記計測手段による計測動作に伴い前記受信部が前記測位情報の受信を試行するとき、その試行回数を、前回の計測動作終了時からの経過時間の長さに応じて制御する試行回数制御手段と、
前記受信部の動作の有無に関係なく連続して動作する一方、前記受信部の前記受信タイミングを生成する受信用カウンターとを備えており、
前記制御手段は、前記受信部の動作終了時には前記タイミング保持カウンターを前記受信用カウンターと同期させ、かつ前記受信部の動作開始時には前記受信用カウンターを前記タイミング保持カウンターと同期させることを特徴とする。
請求項３記載の発明によれば、前記計測部による計測動作に伴い前記受信部が前記測位情報の受信を試行するとき、その試行回数を、前回の計測動作終了時からの経過時間の長さに応じて制御するようにしているので、再計測時には、その時々の受信状態により適した測位情報の効率的な受信試行が行える。
【発明の効果】
【００１５】
請求項１記載の発明によれば、計測部による自己位置の計測が一度行われると、それ以後の予め定められている時間内における再計測時には、タイミング保持カウンターに保持されていた前回の自己位置の計測時における受信タイミングを起点として複数の測位衛星から送られてくる測位情報の受信動作が行われる。したがって、再計測を開始した時点における測位情報の受信タイミングと送信タイミングとのずれが少ないため、再計測時における測位衛星の捕捉作業を短時間に行うことができる。そればかりでなく、自己位置を計測しない間には、受信部の動作を停止させておくことができ、受信部の動作時間を必要最小限とすることができる。
さらに、請求項１記載の発明によれば、前記計測部による計測動作に伴い前記受信部が前記測位情報の受信を試行するとき、前記測位情報の受信タイミングを補正し、この補正される各試行時の受信タイミングの補正量を前回の計測動作終了時からの経過時間の長さに応じて設定しているので、再計測時には、その時々の受信状態により適した測位情報の効率的な受信試行が行える。
請求項２記載の発明によれば、前記計測部による計測動作に伴い前記受信部が前記測位情報の受信を試行するとき、前記測位情報の受信タイミングを補正し、この補正される受信タイミングの補正幅を前回の計測動作終了時からの経過時間の長さに応じて設定するようにしているので、再計測時には、その時々の受信状態により適した測位情報の効率的な受信試行が行える。
請求項３記載の発明によれば、前記計測部による計測動作に伴い前記受信部が前記測位情報の受信を試行するとき、その試行回数を、前回の計測動作終了時からの経過時間の長さに応じて制御するようにしているので、再計測時には、その時々の受信状態により適した測位情報の効率的な受信試行が行える。
【発明を実施するための最良の形態】
【００１７】
（第１の実施の形態）
以下、本発明の一実施の形態を図にしたがって説明する。図１は、本発明かかる測位装置の概略構成を示すブロック図である。なお、本実施の形態において測位装置は、電池を電源として作動するとともに携帯性が確保された腕時計型のものを想定している。
【００１８】
すなわち、この測位装置は、時計部１とＧＰＳ部２とから構成されている。ＧＰＳ部２は、本発明の受信手段を構成する部分であって、ＧＰＳ衛星からのＬ１帯の電波を受信するＧＰＳアンテナやＲＦ、Ａ／Ｄ等で構成された受信部３と、ＣＰＵ４、そのプログラムが格納されたＲＯＭ５、主として受信した衛星データ等を保存するＲＡＭ６、及び受信電波の解読を行うデコーダー等からなる信号処理部７とを有している。また、信号処理部７には、衛星データの受信時の受信タイミングを生成するとともに、原子時計並の精度で時刻のカウントが可能な発信器を有するバイナリーカウンターである第１のカウンター８、及びその値を記憶する第１のタイミングレジスタ９が接続されている。なお、第１のカウンター８は、そのカウント値が１秒周期でオール”０”となるものであり、また、第１のタイミングレジスタ９には、位置計測時に一度に捕捉するＧＰＳ衛星の数に応じて、８つのカウント値が記憶できるようになっている。
【００１９】
一方、前記時計部１は、測位装置全体を制御するＣＰＵ１０、その制御プログラムが格納されたＲＯＭ１１、主としてＣＰＵ１０のワーキグメモリとして用いられるＲＡＭ１２からなる制御部１３を備えている。なお、ＲＡＭ１２には、前回位置計測動作が終了された時点の時刻等が記憶される。また、制御部１３には、第２のカウンター１４、第２のタイミングレジスタ１５、測位装置の操作を行うための複数のスイッチが接続されたスイッチ入力部１６、小型のＬＣＤ等からなるとともに、位置計測時の計測結果や電波の受信状況を表示する表示部１７が接続されている。第２のカウンター１４、第２のタイミングレジスタ１５は、前記ＧＰＳ部２の第１のカウンター８、第１のタイミングレジスタ９と対をなしており、それらにより本発明のタイミング保持カウンターが構成されている。また、第２のタイミングレジスタ１５には、前述した８つのカウント値の他にも、通常の時刻を示すカウント値が記憶されるようになっている。そして、前記時計部１には使用者の操作と関係なく常に所定の電力が供給されるとともに、前記ＧＰＳ部２は、位置計測動作が行われる時を除いて電源が切断される構成となっている。
【００２０】
次に、以上の構成からなる測位装置の動作を図２及び図３に示すフローチャートにより説明する。すなわち、測位装置は、スイッチ入力部１６からの計測要求信号により位置計測動作を開始し、先ず、時計部１の制御部１３がＧＰＳ部２を起動する（ステップＳＡ１）。引き続き、前回位置計測動作が終了された時点からその時点までの経過時間（中断時間）が、所定の許容時間（本実施の形態では３０分〜１時間程度を想定している。）よりも長いか否かを判断し（ステップＳＡ２）、それより長い場合には、ＧＰＳ部２の第１のカウンター８をリセットした後（ステップＳＡ３）、新規計測処理を開始する（ステップＳＡ４）。これに伴い、ＧＰＳ部２においては、受信部３がＧＰＳ衛星からの電波を受信、復調しデジタル信号に変換するとともに、その信号を信号処理部７へ送り、信号処理部７が、送られた信号から各ＧＰＳ衛星の信号の分類と、絶対時刻（ＧＰＳ時刻）等のデータを取得するためのデータの先頭位置の検出を行うといった、通常の各ＧＰＳ衛星毎のデータ解析作業つまり衛星の捕捉を行う。そして、衛星の捕捉ができたら前記データの先頭位置と、そのデータの送信元の衛星と、その衛星の絶対位置とに基づき自己位置を計算する位置計測を行う。
【００２１】
ここで、衛星の捕捉を全くできず、又は位置計測に必要な数、例えば３以上の衛星数が捕捉できず、位置計測に失敗したときには（ステップＳＡ５でＮＯ）、失敗回数すなわち試行回数が所定回数Ｎとなるまでは（ステップＳＡ６でＹＥＳ）、ＧＰＳ部２の第１のカウンター８のカウント値（第１のタイミングレジスタ９の値）を補正した後、計測を試行する（ステップＳＡ７）。つまり受信タイミングを補正しつつ受信動作を繰り返し行う。そして、この間に位置計測の失敗回数が所定回数Ｎとなった場合には（ステップＳＡ６でＮＯ）、時計部１の表示部１７に計測不能を示すメッセージを表示する等のエラー処理を行い（ステップＳＡ８）、ＧＰＳ部２への電源を切断した後（ステップＳＡ１２）、計測を終了する。
【００２２】
また、上記の計測試行中に位置計測ができると（ステップＳＡ５でＹＥＳ）、その時点における前記第１のカウンター８のカウントタイミングに、時計部１の第２のカウンター１４のカウントタイミングを同期させる受信タイミングの保存処理を行う（ステップＳＡ９〜ＳＡ１１）。具体的には、第１のカウンター８のカウントが全て”０”となったタイミングで、ＧＰＳ部２が信号処理部７の端子Ａから”Ｈ”を出力する。時計部１側では、制御部１３の端子Ａの入力が”Ｌ”から”Ｈ”に変わったことに応じて第２のカウンター１４のカウントＵＰを開始する。そして、かかる受信タイミングの保存処理が終わると、計測結果を表示部１７に表示するとともにＧＰＳ部２への電源を切断し（ステップＳＡ１２）、計測を終了する。
【００２３】
一方、以上の処理が行われた後に再び位置計測動作を開始してＧＰＳ部２を起動したとき（ステップＳＡ１）、前回位置計測動作が終了した時点からの経過時間が所定の許容時間以内であった場合には（ステップＳＡ２でＮＯ）、ＧＰＳ部２における第１のカウンター８のカウントタイミングを、その時点における時計部１の第２のカウンター１４のカウントタイミングに同期させる受信タイミングの呼び出し処理を行う（ステップＳＡ１３〜ＳＡ１５）。具体的には、時計部１の制御部１３が、第２のタイミングレジスタ１５のカウントデータを送信する旨のコマンドを端子ＴＤからＧＰＳ部２の信号処理部７へ出力した後、カウントデータを信号処理部７へ転送する。これに応じてＧＰＳ部２では、信号処理部７が、送られたカウントデータを第１のタイミングレジスタ９に書き込む。次に、カウントを続けている第２のカウンター１４のカウントが全て”０”となった瞬間に、制御部１３が端子Ｂの出力を”Ｌ”から”Ｈ”にする。すると信号処理部７は、端子Ｂの入力が”Ｌ”から”Ｈ”に変わったことに応じて即座に第１のカウンター８を全て”０”にリセットする。これに伴い、第１のカウンター８が全て”０”の状態からカウントＵＰを再開する。これによって、ＧＰＳ部２においてはＧＰＳ衛星の捕捉作業に要する受信タイミングが、前回位置計測を終了した時点と同様となる。
【００２４】
しかる後、制御部１３が、位置計測を開始する旨のコマンドを端子ＴＤからＧＰＳ部２の信号処理部７へ出力することにより、再計測処理を開始し（ステップＳＡ１６）、これ以後は、前述したステップＳＡ５〜ＳＡ１２の処理を行う。すなわち、ＧＰＳ部２においては、前回位置計測を終了した時点と同様の受信タイミングを起点として、衛星の捕捉作業が試行されることとなる。しかも、このとき前回位置計測を終了した時点からの経過時間は前述した許容時間内であるため、自己の移動距離も短く、実際のＧＰＳ衛星におけるデータの送信タイミングと、ＧＰＳ部２における受信タイミングとのズレ幅は小さいことが予想され、かつ電波の受信環境の変化も少ない場合が多いことが予想される。したがって、ほとんど場合、再計測処理における衛星の捕捉作業を、前述した前回の新規計測処理に比べ短時間で行うことができる。
【００２５】
つまり、本実施の形態においては、前回の位置計測時からの経過時間が、所定の許容時間内であれば、位置計測を短時間で行うことが可能となる。しかも、位置計測時に主として衛星の捕捉作業に要する電力を節約することができることから、電池の寿命を延ばすと同時に電池つまりは装置の小型化が可能となる。なお、以上の説明においては、使用者の操作に応じて位置計測を行う場合を想定したが、例えば、前述した許容時間よりも短いある時間毎に自動的に位置計測を行う場合においても、上記と同様の理由により同様の効果を得ることができる。
【００２６】
（第２の実施の形態）
次に、本発明にかかる第２の実施の形態について説明する。この実施の形態は、図１に示した測位装置が、前記ＧＰＳ部２のＲＡＭ６に記憶される受信した衛星データが、次回の位置計測時まで保存されるか、又はそれと同一のデータが時計部１のＲＡＭ１２にも記憶される構成を有するとともに、前述した計測処理中に、図３に示した動作に代えて図４に示した動作を行わせるものである。
【００２７】
すなわち、前述した再計測処理において受信動作を繰り返し行う間に、位置計測の失敗回数が所定回数Ｎとなったら（ステップＳＡ６でＮＯ）、引き続き、その時点で２つ以上の衛星が捕捉できているか否かを判断する（ステップＳＡ２１）。ここで、２つ以上の衛星が捕捉できていなければ、第１の実施の形態と同様にステップＳＡ８へ進みエラー処理を行う。また、２つ以上の衛星が捕捉できていた場合には（ステップＳＡ２１でＹＥＳ）、引き続き、前回計測時からの経過時間が短いか否かを、事前に決めておいた所定の判断基準（但し、前述した再計測処理を行う許容時間よりも短い時間である。）に従い判断し（ステップＳＡ２２）、それが長ければステップＳＡ８へ進みエラー処理を行う。一方、前回計測時からの経過時間が短ければ、前回の位置計測時に捕捉できるとともに、ＲＡＭ６（又はＲＡＭ１２）に記憶されている衛星の受信データを、実際に捕捉できた衛星の受信データに加えることにより、必要な衛星数の捕捉ができたと仮定し、擬似的な位置計測処理を行う（ステップＳＡ２３）。しかる後、前述したステップＳＡ９〜ＳＡ１２の処理を行い、位置計測処理を終了する。
【００２８】
つまり、本実施の形態において、測位装置が専ら使用者が歩行している場合に使用されるものとすれば、山や林のように障害物が存在する状況下で位置計測が行われることが多いと予想され、また短時間での移動距離も短いことから、前回計測時からの経過時間が短時間である場合には、推定ではあるが、さほど大きな誤差が含まれていない位置を算出することができる。
【００２９】
（第３の実施の形態）
次に、本発明にかかる第３の実施の形態について説明する。この実施の形態は第１の実施の形態と同様の構成を備えた測位装置において、位置計測時に、図２で既説した動作に続いて図５に示した動作を行うものである。
【００３０】
すなわち、図５に示すように、前述した動作（図２参照）によって再計測処理を開始すると、先ず前回計測時からの経過時間が短いか否かを、事前に決めておいた所定の判断基準（但し前述した再計測処理を行う許容時間よりも短い時間である。）に従い判断する（ステップＳＢ１）。そして、長い場合にはカウンター補正モードとして通常モードを設定し（ステップＳＢ２）、短い場合にはカウンター補正モードとして繰り返しモードを設定し（ステップＳＢ３）、設定した補正モードに従ってＧＰＳ部２の第１のカウンター８のカウント値を補正しつつ、つまり受信タイミングを補正しつつ受信動作を繰り返し行う（ステップＳＢ４、ＢＳ５、ＳＢ６でＹＥＳ）。
【００３１】
ここで、前述した通常モードと繰り返しモードとの違いについて説明する。通常モードは、第１及び第２の実施の形態で示したものと同様に、逐次受信タイミングを変化させる補正である。また、繰り返しモードは、受信試行回数が所定回数となる毎に受信タイミングを変化させる補正である。したがって、前回計測時との時間差が僅かであっても、つまり受信タイミングのズレが僅かであっても、受信環境の影響によって受信に失敗する場合、例えば林の中のよう木々に遮られていたような場合にあっては木々の僅かな動きで受信が可能となるが、そうした場合、前記繰り返しモードが設定されることによって、同一の受信タイミングで複数回受信が試行されることにより短時間で受信ができることとなる。
【００３２】
なお、前記受信動作を繰り返し行う間に、第１のカウンター７のカウント値の補正回数（受信試行回数）が所定回数Ｎを越えたとき（ステップＳＢ６でＮＯ）、つまり所定範囲の全域で受信タイミングを変えても計測ができなかったときには、エラー処理を行った後（ステップＳＢ７）、ステップＳＢ１１へ進む。また、前記受信動作を繰り返し行う間に計測ができれば（ステップＳＢ５でＹＥＳ）、第１の実施の形態で説明したステップＳＡ９〜ＳＡ１２と同様の処理を行い（ステップＳＢ８〜ＳＢ１１）、計測処理を終了する。
【００３３】
（その他の実施の形態）
また、前述した第３の実施の形態と異なり、１回の計測動作時において、前述した受信試行回数を図６に示したように制御させてもよい。すなわち、前回計測時からの経過時間が短い場合には（ステップＳＣ１でＹＥＳ）、試行回数を多くし（ステップＳＣ２）、経過時間が長い場合には（ステップＳＣ１でＮＯ）、試行回数を少なくする（ステップＳＣ３）。かかる制御を行う場合には、以下のような利点がある。すなわち、前回計測時からの経過時間がある程度長い（但し、前述した再計測処理を行う許容時間よりも短い時間である。）場合には、例えば使用者が車等で移動することにより、前回計測時から大きく移動している可能性が大きいが、そうした場合には、前記制御により再計測処理を速やかに終了して、直ちに通常の新規計測処理を行うこととなる。したがって、その時々の受信状態により適した効率的な受信試行が行えるため、計測時間がさらに短時間で行えることとなる。なお、以上の制御においては、前記受信試行回数を前回計測時からの経過時間に比例して増減させた方が、その時々の状態により一層適した効率的な受信試行が行える。
【００３４】
また、これとは別に、１回の計測動作時において、第１のカウンター８のカウント値の補正を行うとき（受信タイミングのズレ幅を変えるとき）、一度の補正量（ズレ幅）を図７に示したように制御させてもよい。すなわち、前回計測時からの経過時間が短い場合には（ステップＳＤ１でＹＥＳ）、各々の補正量（ズレ幅）を小さくし、経過時間が長い場合には（ステップＳＤ１でＮＯ）、各々の補正量（ズレ幅）を大きくする（ステップＳＤ３）。かかる制御を行う場合には、以下のような利点がある。すなわち、経過時間が短いときには、前回計測時からの移動距離が小さい場合が多く、その場合には、補正量を小さくすることによって、単位時間当たりの計測試行回数を増やすことができるため、計測に成功する確率が高くなる。逆に、経過時間が長いときには、前回計測時からの移動距離が大きい場合が多く、その場合には、補正量を大きくすることにより、結果として試行回数が少なくなり、直ちに通常の新規計測処理に移行することとなる。したがって、その時々の受信状態により適した効率的な受信試行が行えるため、計測時間がさらに短時間で行えることとなる。なお、以上の制御においては、前述した一度の補正量（ズレ幅）を前回計測時からの経過時間に比例して増減させた方が、その時々の状態により一層適した効率的な受信試行が行える。
【００３５】
また、１回の計測動作時において、第１のカウンター８のカウント値の補正を行うとき（受信タイミングのズレ幅を変えるとき）、その全体の補正幅を、図８に示したように制御させてもよい。すなわち、前回計測時からの経過時間が短い場合には（ステップＳＥ１でＹＥＳ）、補正幅を狭くし（ステップＳＥ２）、前回計測時からの経過時間が長い場合には（ステップＳＥ１でＮＯ）、広くする（ステップＳＥ３）。かかる制御を行えば、前回計測時からの移動距離が小さい場合、つまり受信タイミングのズレ幅が小さいと予想される場合には補正幅を狭めることにより、より速く受信タイミングを送信タイミングに同期させることができる。したがって、その時々の受信状態により適した効率的な受信試行が行えるため、計測時間がさらに短時間で行えることとなる。なお、以上の制御においては、前述した全体の補正幅を前回計測時からの経過時間に比例して増減させた方が、その時々の状態により一層適した効率的な受信試行が行える。
【００３６】
さらに、フローチャートには示さないが、前述した再計測処理及び新規計測処理においても位置計測ができない時間が予め決められた時間以上となった場合には、時計部１のＣＰＵ９によって、一旦前記ＧＰＳ部２への電源を切断する制御を行わせるとともに、それ以後は、一定時間毎（例えば１分毎）に自動的に、前述した計測処理を行わせる構成としても良い。その場合においては、測位装置の使用者が、例えば山陰やトンネルのようにＧＰＳ衛星からの電波が全く受信できないような環境にいる間に電池が無駄に消費されることを防止することができる。しかも、受信環境が良好な場所に移動した際には、前述した再計測処理によって位置計測を短時間で行うことが可能となり、便利である。
【図面の簡単な説明】
【００３７】
【図１】本発明の第１の実施の形態を示す測位装置のブロック図である。
【図２】同実施の形態の位置計測処理にかかる動作を示すフローチャートである。
【図３】図２に続くフローチャートである。
【図４】本発明の第２の実施の形態を示す図３に対応するフローチャートである。
【図５】本発明の第３の実施の形態を示す図３に対応するフローチャートである。
【図６】本発明の他の実施の形態にかかる試行回数制御処理を示すフローチャートである。
【図７】本発明の他の実施の形態にかかるカウンターの補正量制御処理を示すフローチャートである。
【図８】本発明の他の実施の形態にかかるカウンターの補正幅制御処理を示すフローチャートである。
【符号の説明】
【００３８】
１  時計部
２  ＧＰＳ部
３  受信部
７  信号処理部
８  第１のカウンター
９  第１のタイミングレジスタ
１２  ＲＡＭ
１３  制御部
１４  第２のカウンター
１５  第２のタイミングレジスタ
【図１】
0004458162.tif 000002
【図２】
0004458162.tif 000003
【図３】
0004458162.tif 000004
【図４】
0004458162.tif 000005
【図５】
0004458162.tif 000006
【図６】
0004458162.tif 000007
【図７】
0004458162.tif 000008
【図８】
0004458162.tif 000009